(57)【要約】【課題】細線の再現性を向上させた画像形成装置および画像形成方法の提供。【解決手段】像担持体の軸方向（主走査方向）に発光部がライン状に配列したラインヘッド１０１Ｋ〜１０１Ｙを用いて、軸方向と直交する方向（副走査方向）に移動する像担持体４１Ｋ〜４１Ｙ上に光書き込みを行う。各発光部は像担持体が副走査方向に１画素分移動する期間連続的に点灯するようにラインヘッド制御回路７３で制御される。各発光部に対して各画素を書き込む際に毎回光量補正値を転送する。像担持体上に主走査方向の細線を描く場合と、副走査方向の細線を描く場合の書き込み光エネルギーが異なるように前記光量補正値を修正する。【選択図】    図１
2008173866.tif 000002
【特許請求の範囲】
【請求項１】
像担持体の軸方向（主走査方向）に発光部がライン状に配列されたラインヘッドを用いて、前記軸方向と直交する方向（副走査方向）に移動する像担持体上に光書き込みを行う際に、前記各発光部は前記像担持体が副走査方向に１画素分移動する期間連続的に点灯するように制御されており、かつ前記各発光部に対して各画素を書き込む際に毎回光量補正値を転送するように構成され、前記像担持体上に主走査方向の細線を書き込む場合と、副走査方向の細線を書き込む場合の書き込み光エネルギーが異なるように前記光量補正値を修正することを特徴とする、画像形成装置。
【請求項２】
前記主走査方向の細線の光量補正値を、前記副走査方向の細線の光量補正値よりも少なくして制御することを特徴とする、請求項１に記載の画像形成装置。
【請求項３】
前記細線の線幅を、前記各発光部の駆動パルスのパルス幅の制御で制御することを特徴とする、請求項１または請求項２に記載の画像形成装置。
【請求項４】
前記像担持体に書き込まれる細線の方向が前記主走査方向か、前記副走査方向かを判断する手段を設けたことを特徴とする、請求項１ないし請求項３のいずれかに記載の画像形成装置。
【請求項５】
前記各発光部は有機ＥＬ素子を使用することを特徴とする、請求項１ないし請求項４のいずれかに記載の画像形成装置。
【請求項６】
像担持体の周囲に帯電手段と、請求項１ないし請求項５のいずれかに記載のラインヘッドと、現像手段と、転写手段との各画像形成用ユニットを配した画像形成ステーションを少なくとも２つ以上設け、転写媒体が各ステーションを通過することにより、タンデム方式でカラー画像形成を行うことを特徴とする画像形成装置。
【請求項７】
像担持体の軸方向（主走査方向）に発光部がライン状に配列されたラインヘッドを用いて、前記軸方向と直交する方向（副走査方向）に移動する像担持体上に光書き込みを行う際に、
前記各発光部は前記像担持体が前記副走査方向に１画素分移動する期間連続的に点灯するように制御する段階と、前記各発光部に対する光量補正値を形成する段階と、前記各画素を書き込む際に各発光部に対して毎回前記光量補正値を転送する段階と、前記像担持体上に主走査方向の細線を書き込む場合と副走査方向の細線を書き込む場合の書き込み光エネルギーが異なるように前記光量補正値を修正する段階と、からなることを特徴とする、画像形成方法。
【請求項８】
前記画像形成は、前記ラインヘッドを複数用いて同時に複数色のカラー画像形成を行うことを特徴とする、請求項７に記載の画像形成方法。
【発明の詳細な説明】
【技術分野】
【０００１】
本発明は、細線の再現性を向上させた画像形成装置および画像形成方法に関するものである。
【背景技術】
【０００２】
ラインヘッドを用いる画像形成装置では、光源にＬＥＤを用いるものや、有機ＥＬ素子を用いるものが知られている。このようなラインヘッドにおいては、感光体（像担持体）の移動により潜像が変形する場合がる。この点について、図６（ａ）、（ｂ）の説明図で説明する。ＬＥＤラインヘッドは、発光部の光パワーが大きいので、点灯時間を短くして時分割駆動を行う。特に近年のＬＥＤでは光パワーは十分に大きいので、副走査方向に１画素分感光体が移動する時間に対して、数分の１〜数十分の１の露光時間で足りるので、点灯している間の感光体の移動による潜像の変形は考慮しなくてよい。
【０００３】
図６（ｂ）は、後述するような本実施形態に示される露光条件に対して、ＬＥＤの点灯時間の割合を１画素移動時間の１／１０に設定した場合の感光体上の表面電位の分布（潜像分布）を示している。光パワーの分布は正円なので、表面電位の分布もほぼ正円状になっていることがわかる。Ｘ方向は感光体の軸方向（主走査方向）、Ｙ方向は前記軸方向と直交する方向（副走査方向）である。
【０００４】
有機ＥＬラインヘッドは、発光部の光パワーがＬＥＤよりも小さいので、点灯時間を長く取らざるを得ない。特に、副走査方向に１画素分感光体が移動する期間ほぼ全て点灯している場合、１画素分の長さだけ副走査方向に移動しながら点灯することになるので、図６（ａ）の表面電位分布でわかるように潜像が副走査方向に伸びる（変形する）ことになる。この例では結像スポットサイズ60μｍに対して42.3μｍ移動しながら露光している。
【０００５】
特許文献１には、レーザーなどの光ビームを用いた感光体への書き込みにおいて、レーザーのパルス幅を制御して細線の幅を制御する方法が示されている。特許文献２には、縦ライン（副走査方向）のデューティーを100%以外に変化させて、細線の潜像をコントロールする方法が開示されている。
【０００６】
【特許文献１】特開２００１−１５８１２７号公報
【特許文献２】特開平１０−１９３６８３号公報
【発明の開示】
【発明が解決しようとする課題】
【０００７】
上記のように有機ＥＬなど比較的光量の低い光源を使用して露光する場合で特に１画素分の時間だけ点灯して細線を露光する場合、縦（副走査方向）に伸びた１画素幅の細線と、横（主走査方向に伸びた１画素幅の細線とでは線幅が異なることになる。特にＣＡＤなどで図面を印刷する場合には、例えば寸法線等で１画素幅の細線を多用するが、縦方向と横方向の細線の幅あるいは濃度が異なると画質が劣化して、非常に見苦しいものとなった。
【０００８】
特許文献１あるいは特許文献２に記載の方法は、パルス幅で細線の幅を調整するものであるが、階調をパルス幅で制御する場合には適用できないという問題があった。また、特許文献１、２ともレーザー走査による露光を前提とした技術であって、ラインヘッドにそのまま適用することは難しいという問題があった。
【０００９】
本発明は、従来技術のこのような種々の問題点に鑑みてなされたものであり、その目的は、露光光源としてラインヘッドを用いた場合に、細線の再現性を向上させた画像形成装置および画像形成方法を提供することにある。
【課題を解決するための手段】
【００１０】
上記目的を達成する本発明の画像形成装置は、像担持体の軸方向（主走査方向）に発光部がライン状に配列されたラインヘッドを用いて、前記軸方向と直交する方向（副走査方向）に移動する像担持体上に光書き込みを行う際に、前記各発光部は前記像担持体が副走査方向に１画素分移動する期間連続的に点灯するように制御されており、かつ前記各発光部に対して各画素を書き込む際に毎回光量補正値を転送するように構成され、前記像担持体上に主走査方向の細線を書き込む場合と、副走査方向の細線を書き込む場合の書き込み光エネルギーが異なるように前記光量補正値を修正することを特徴とする。
【００１１】
また、本発明の画像形成装置は、前記主走査方向の細線の光量補正値を、前記副走査方向の細線の光量補正値よりも少なくして制御することを特徴とする。
【００１２】
また、本発明の画像形成装置は、前記細線の線幅を、前記各発光部の駆動パルスのパルス幅の制御で制御することを特徴とする。
【００１３】
また、本発明の画像形成装置は、前記像担持体に書き込まれる細線の方向が前記主走査方向か、前記副走査方向かを判断する手段を設けたことを特徴とする。
【００１４】
また、本発明の画像形成装置は、前記各発光部は有機ＥＬ素子を使用することを特徴とする。
【００１５】
また、本発明の画像形成装置は、像担持体の周囲に帯電手段と、前記のいずれかに記載のラインヘッドと、現像手段と、転写手段との各画像形成用ユニットを配した画像形成ステーションを少なくとも２つ以上設け、転写媒体が各ステーションを通過することにより、タンデム方式でカラー画像形成を行うことを特徴とする。
【００１６】
本発明の画像形成方法は、像担持体の軸方向（主走査方向）に発光部がライン状に配列されたラインヘッドを用いて、前記軸方向と直交する方向（副走査方向）に移動する像担持体上に光書き込みを行う際に、
前記各発光部は前記像担持体が前記副走査方向に１画素分移動する期間連続的に点灯するように制御する段階と、前記各発光部に対する光量補正値を形成する段階と、前記各画素を書き込む際に各発光部に対して毎回前記光量補正値を転送する段階と、前記像担持体上に主走査方向の細線を書き込む場合と副走査方向の細線を書き込む場合の書き込み光エネルギーが異なるように前記光量補正値を修正する段階と、からなることを特徴とする。
【００１７】
また、本発明の画像形成方法は、前記画像形成は、前記ラインヘッドを複数用いて同時に複数色のカラー画像形成を行うことを特徴とする。
【００１８】
本発明の実施形態においては、露光光源としてラインヘッドを用いた場合に、１画素分の感光体移動時間に対して、露光時間が長い場合でも、縦線と横線の線幅を等しくすることが可能となり、細線の再現性が向上する。また、発光部として、有機ＥＬ素子を用いているので、発光部の直径を小さくしなくて済み、発光部の光パワーを大きく取ることができる。このため、発光効率の高くない有機ＥＬ材料でも使用可能となる。
【発明を実施するための最良の形態】
【００１９】
本発明の実施形態について説明する。最初に、本発明の実施形態にかかる「解像度」について説明する。本発明の実施形態においては、「解像度」を次のように定義する。ＬＥＤヘッドなどのような、アレイ状の光源を用いたラインヘッドにおいては、感光体（像担持体）の移動方向と直交する方向を主走査方向とすると、主走査方向の解像度は発光部の配列ピッチで決定され、可変することはできない。
【００２０】
本発明の実施形態においては、ラインヘッドの「解像度」とは、主走査方向の発光部のピッチの逆数であると定義する。さらに厳密には、「解像度」は、感光体表面に投影された発光部の像の主走査方向のピッチの逆数である。しかしながら、副走査方向においては、光源の点灯消灯の周波数を制御することで解像度を自由に変化させることができる。このように副走査方向の解像度は自由に設定できるので、副走査方向の画像処理の単位を副走査方向の「画素」とし、その画素ピッチの逆数を副走査方向の解像度と定義する。
【００２１】
次に、本発明の実施形態における有機ＥＬヘッドの制御について説明する。有機ＥＬ素子など光パワーの比較的小さい発光素子を光源に用いる場合は、感光体に十分な露光エネルギーを与える必要がある。図７は、有機ＥＬ素子の駆動パルスを示すタイミングチャートである。図７において、ｔは時間、tsは走査周期（副走査方向に画素１つ分感光体が移動する時間）である。すなわち、tsは時刻０でパルスをオンにして、時刻Ｔａでパルスをオフにするまでの時間に相当する。図７に示すすように、有機ＥＬ素子の各発光部は、走査周期tsのほぼ全ての時間駆動パルスにより点灯される。
【００２２】
次に、有機ＥＬ素子を用いたラインヘッドで感光体を露光した場合の潜像の分布について、図２、図３の特性図により説明する。ここでは、半減露光エネルギー0.8μJ/cm2、初期帯電電位-600Vの有機感光体（OPC）に、１画素期間露光時の平均露光エネルギーが0.3μJ/cm2で露光した場合の潜像分布を示すものとする。また、結像スポットサイズは1/e2の直径で主走査方向、副走査方向とも60μmであるとする。副走査方向の解像度は主走査方向と同じである。すなわち、主走査のスポットのピッチと同じ距離だけ副走査方向に点灯しながら感光体が移動する。さらに、感光体の膜中を電荷が移動する際の電荷の広がり（ぼやけ）は考慮していない。
【００２３】
図２は、主走査方向（Ｘ方向）のライン、すなわち横線の潜像分布を示した３次元グラフである。図２の主走査方向においては、発光部の位置で露光位置が決まってしまうため、波形図のピークにデコボコが見られる。図３は、副走査方向（Ｙ方向）のライン、すなわち縦線の潜像分布を示している。副走査方向においては１つの発光部が連続して点灯して露光するため、波形図に主走査方向のようなデコボコは見られない。
【００２４】
上記の２次元の潜像分布をラインの方向とは直角断面の平均の潜像分布にしたものが、図４の特性図である。図４でわかるように、主走査方向のライン（横線）の方が、副走査方向のライン（縦線）の分布より幅が広くピークの高さは若干低い。これは主走査方向のラインが、ラインと直角方向に１画素分移動しながら露光するためである。
【００２５】
図４に示したように、横線の方が潜像の分布が広がるので、線幅が広がってしまう。そこで、本発明の実施形態においては、横線を印刷する場合には、該当画素に対応する発光部だけ光量を下げる制御を行う。具体的には、各発光部の光量補正値を一定の比率で低下させる制御を行う。なお、このとき画素毎の光量補正値を修正すると、厳密には画像濃度の均一性が保てなくなるが、そのような現象はハーフトーン画像では顕著であるが、本発明の対象となる細線の画像に対しては影響が少ないので、問題はない。
【００２６】
図１は、本発明の制御を行うための制御部のブロック図である。プリンタの制御部７１に対して、外部のホストコンピュータ７０などから印刷すべき画像データや、図形、文字を定義した印刷コマンド列などのデータが送出される。印刷コマンド列は、プリンタコントローラ７２で解釈され、外部から送られた画像データと合わせて２次元の画像データに展開される。この画像データに対して、位置や大きさの変換、カラーの場合はプリンタの持っている現像剤の色（多くの場合、シアン、マゼンタ、イエロー）への変換、網点や万線などの階調スクリーン処理が行われる。
【００２７】
プリンタコントローラ７２でラインヘッドの各画素の階調データに変換された階調データがラインヘッド制御回路７３に送られる。ラインヘッド制御回路７３は、各色のラインヘッド１０１Ｋ、１０１Ｃ、１０１Ｍ、１０１Ｙに画像データを出力し、各感光体４１Ｋ，４１Ｃ、４１Ｍ、４１Ｙに露光処理がなされる。プリンタコントローラ７２とエンジンコントローラ７４間では、所定のデータが送受信される。
【００２８】
本発明の実施形態では、横線の光量補正値を修正するので、プリンタコントローラ７２から横線に相当する画素のデータが送出される際には、横線に該当することを示す情報（フラグなど）を階調データと同時にラインヘッド制御回路７３に転送する。ラインヘッド制御回路７３では、その情報に基づき本来の補正値に一定の係数を乗算して光量補正値を形成し、各ラインヘッド１０１Ｋ〜１０１Ｙに送出する。このように、本実施形態を実現するために、各画素を描画するためのデータがラインヘッド制御回路７３に転送される度に、毎回、階調値と光量補正値をラインヘッドに転送する回路構成がラインヘッド制御回路７３に設けられている。
【００２９】
なお、各画素が横線か否かを判断するためには上記のように各画素ごとに情報を付加する必要があるので、プリンタコントローラ７２からラインヘッド制御回路７３へ転送するデータ量が増えてしまう。このようなデータ量の増大を避けるためには、ラインヘッド制御回路７３側で該当画素が横線に含まれる画素かどうかを判別する判別回路を設ければよい。具体的には、該当画素を中心として例えば５個×５個の正方形状の範囲の画素について、該当画素から横方向（主走査方向）に連続する画素が点灯し、それ以外の画素が消灯している場合は横線であると判断する。このような画像認識技術は既に多数発表されているが、回路規模を大きくしないためになるべく簡便な方法であることが望ましい。
【００３０】
光量をどの程度補正するかは、使用する電子写真プロセスの特性によるので、一概には決められない。例えば、図４において、−２００Ｖ程度から０Ｖ側にかけて現像されるとすると、理想的には−２００Ｖをスライスレベルとした電位分布線の幅を縦線と横線とで等しくすればよい。しかし、実際には、幅を同じくするために露光エネルギーが減少させると、ピークの電位も低く（絶対値が大きく）なるので、必ずしもあるスライスレベルの幅で一致させる必要はない。
【００３１】
図５は、横線の光パワーを縦線の65%となるように光量補正値を制御した結果を示す特性図である。図５において、表面電位が−２００Ｖにおける横線の潜像の幅は、まだ縦線より若干大きいが、実際現像される線幅は十分に細くなる。このように、本発明の実施形態においては、縦線と横線の書き込み光エネルギーが異なるように光量補正値を制御している。
【００３２】
なお、既に述べたように有機ＥＬ素子は、１画素の点灯時間は十分長いので、細線に対して階調制御を行わない場合は、パルス幅制御で細線の線幅を制御することも可能である。この場合には、例えば、図７において、パルスのオンタイムを走査周期ｔｓよりも短い０〜Ｔｂとする。
また、パルス幅を増加させる側に制御する場合において、横線、すなわち主走査方向に伸びた細線の場合は１画素分の期間を超えて、パルス幅を増加させることも可能である。この場合には、パルスのオンタイムを走査周期ｔｓよりも長い０〜Ｔｃとする。
【００３３】
上記の場合は、横線の線幅が広がるものとしていたが、露光エネルギーが異なったり、現像プロセスが異なったりする場合は、縦線と横線の線幅の関係が逆転する場合もありうる。そのような場合でも上記と同様に制御可能である。
【００３４】
発光素子として、有機ＥＬ素子を用いる場合には、本発明の実施形態においては発光部の直径を小さくしなくてよいので、発光部の光パワーを大きく取ることができる。このため、発光効率の高くない有機ＥＬ材料でも使用可能となる。本発明の実施形態では、通常のラインヘッドに比べて高密度に露光画素を配するので、画素の数は飛躍的に増加する。従来用いられてきたＬＥＤを光源とするラインヘッドに本発明を適用することも可能であるが、多数のＬＥＤが設けられたＬＥＤアレイチップを基板上に位置精度よく実装し、かつ通常より画素数が多いためにチップと基板を接続するボンディングの数も増加するため、製造が難しくなる。
【００３５】
これに対して有機ＥＬ素子を光源に用いる場合には、ガラス基板上に１度に多数の画素を高密度かつ高精度に形成できるので本発明の実施形態として最適である。また、本発明の実施形態では、回路構成が簡単になり、発光部と同一のガラス基板上に薄膜トランジスタで駆動回路を作ることが容易になる。薄膜トランジスタは、アモルファスシリコン、低温ポリシリコン、高温ポリシリコン、有機トランジスタなど種種のものが利用できる。
【００３６】
本発明の実施形態においては、４つの感光体に４つのラインヘッドで露光し、４色の画像を同時に形成し、１つの無端状中間転写ベルト（中間転写媒体）に転写する、タンデム式カラープリンター（画像形成装置）に用いるラインヘッドを対象としている。図８は、発光素子として有機ＥＬ素子を用いたタンデム式画像形成装置の一例を示す縦断側面図である。この画像形成装置は、同様な構成の４個の有機ＥＬ素子アレイを用いたラインヘッド１０１Ｋ、１０１Ｃ、１０１Ｍ、１０１Ｙを、対応する同様な構成である４個の感光体ドラム（像担持体）４１Ｋ、４１Ｃ、４１Ｍ、４１Ｙの露光位置にそれぞれ配置したものであり、タンデム方式の画像形成装置として構成されている。
【００３７】
図８に示すように、この画像形成装置は、駆動ローラ５１と従動ローラ５２とテンションローラ５３が設けられており、テンションローラ５３によりテンションを加えて張架されて、図示矢印方向（反時計方向）へ循環駆動される中間転写ベルト（中間転写媒体）５０を備えている。この中間転写ベルト５０に対して所定間隔で配置された４個の像担持体としての外周面に感光層を有する感光体４１Ｋ、４１Ｃ、４１Ｍ、４１Ｙが配置される。
【００３８】
前記符号の後に付加されたＫ、Ｃ、Ｍ、Ｙはそれぞれ黒、シアン、マゼンタ、イエローを意味し、それぞれ黒、シアン、マゼンタ、イエロー用の感光体であることを示す。他の部材についても同様である。感光体４１Ｋ、４１Ｃ、４１Ｍ、４１Ｙは、中間転写ベルト５０の駆動と同期して図示矢印方向（時計方向）へ回転駆動される。各感光体４１（Ｋ、Ｃ、Ｍ、Ｙ）の周囲には、それぞれ感光体４１（Ｋ、Ｃ、Ｍ、Ｙ）の外周面を一様に帯電させる帯電手段（コロナ帯電器）４２（Ｋ、Ｃ、Ｍ、Ｙ）と、この帯電手段４２（Ｋ、Ｃ、Ｍ、Ｙ）により一様に帯電させられた外周面を感光体４１（Ｋ、Ｃ、Ｍ、Ｙ）の回転に同期して順次ライン走査する本発明の上記のようなラインヘッド１０１（Ｋ、Ｃ、Ｍ、Ｙ）が設けられている。ラインヘッド１０１（Ｋ、Ｃ、Ｍ、Ｙ）は、感光体（像担持体）４１Ｋ、４１Ｃ、４１Ｍ、４１Ｙ上に光書き込みを行う。
【００３９】
また、このラインヘッド１０１（Ｋ、Ｃ、Ｍ、Ｙ）で形成された静電潜像に現像剤であるトナーを付与して可視像（トナー像）とする現像装置４４（Ｋ、Ｃ、Ｍ、Ｙ）と、この現像装置４４（Ｋ、Ｃ、Ｍ、Ｙ）で現像されたトナー像を一次転写対象である中間転写ベルト５０に順次転写する転写手段としての一次転写ローラ４５（Ｋ、Ｃ、Ｍ、Ｙ）と、転写された後に感光体４１（Ｋ、Ｃ、Ｍ、Ｙ）の表面に残留しているトナーを除去するクリーニング手段としてのクリーニング装置４６（Ｋ、Ｃ、Ｍ、Ｙ）とを有している。
【００４０】
ここで、各ラインヘッド１０１（Ｋ、Ｃ、Ｍ、Ｙ）は、有機ＥＬ素子アレイの方向が感光体ドラム４１（Ｋ、Ｃ、Ｍ、Ｙ）の母線に沿うように設置される。そして、各有機ＥＬ素子アレイ露光ヘッド１０１（Ｋ、Ｃ、Ｍ、Ｙ）の発光エネルギーピーク波長と、感光体４１（Ｋ、Ｃ、Ｍ、Ｙ）の感度ピーク波長とは略一致するように設定されている。
【００４１】
現像装置４４（Ｋ、Ｃ、Ｍ、Ｙ）は、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体４１（Ｋ、Ｃ、Ｍ、Ｙ）に接触あるいは押厚させることにより、感光体４１（Ｋ、Ｃ、Ｍ、Ｙ）の電位レベルに応じて現像剤を付着させることによりトナー像として現像するものである。
【００４２】
このような４色の単色トナー像形成ステーションにより形成された黒、シアン、マゼンタ、イエローの各トナー像は、一次転写ローラ４５（Ｋ、Ｃ、Ｍ、Ｙ）に印加される一次転写バイアスにより中間転写ベルト５０上に順次一次転写され、中間転写ベルト５０上で順次重ね合わされてフルカラーとなったトナー像は、二次転写ローラ６６において用紙等の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００４３】
なお、図８中、６３は多数枚の記録媒体Ｐが積層保持されている給紙カセット、６４は給紙カセット６３から記録媒体Ｐを一枚ずつ給送するピックアップローラ、６７は二次転写ローラ６６の二次転写部への記録媒体Ｐの供給タイミングを規定するゲートローラ対、６６は中間転写ベルト５０との間で二次転写部を形成する二次転写手段としての二次転写ローラ、６９は二次転写後に中間転写ベルト５０の表面に残留しているトナーを除去するクリーニング手段としてのクリーニングブレードである。
【００４４】
図９は、有機ＥＬ素子アレイを用いたラインヘッド１０１を拡大して示す概略の斜視図である。図９において、有機ＥＬ素子アレイ８１は、長尺のハウジング８０中に保持されている。長尺のハウジング８０の両端に設けた位置決めピン８９をケースの対向する位置決め穴に嵌入させると共に、長尺のハウジング８０の両端に設けたねじ挿入孔８８を通して固定ねじをケースのねじ穴にねじ込んで固定することにより、各ラインヘッド１０１が所定位置に固定される。
【００４５】
ラインヘッド１０１は、ガラス基板８２上に有機ＥＬ素子アレイ８１の発光素子（有機ＥＬ素子）８３を載置し、同じガラス基板８２上に形成された駆動回路８５により駆動される。屈折率分布型ロッドレンズアレイ（ＳＬＡ）６５は結像光学系を構成し、発光素子８３の前面に配置される屈折率分布型ロッドレンズ８４を俵積みしている。ロッドレンズアレイ８５には、前記のような「セルフォックレンズアレイ」（略称ＳＬＡ、日本板硝子株式会社の商標名）が多用されている。
【００４６】
有機ＥＬ素子アレイ８１から射出された光ビームは、ＳＬＡ６５により等倍正立像として被走査面に結像する。このように、ガラス基板８２上に有機ＥＬ素子８３を配列しているので、発光素子の光量を損なうことなく像担持体に照射することができる。また、有機ＥＬ素子は静的な制御が可能であるので、ラインヘッドの制御系を簡略化できる。
【００４７】
以上、本発明の画像形成装置と画像形成方法について説明したが、本発明はこれら実施形態に限定されず種々の変形が可能である。
【図面の簡単な説明】
【００４８】
【図１】本発明の実施形態を示すブロック図である。
【図２】本発明の実施形態を示す特性図である。
【図３】本発明の実施形態を示す特性図である。
【図４】本発明の実施形態を示す特性図である。
【図５】本発明の実施形態を示す特性図である。
【図６】本発明の実施形態を示す説明図である。
【図７】本発明の実施形態を示すタイミングチャートである。
【図８】本発明の実施形態を示す画像形成装置の縦断側面図である。
【図９】本発明にかかるラインヘッドの斜視図である。
【符号の説明】
【００４９】
４１…感光体（像担持体）、４２…帯電手段、４４…現像手段、４５…一次転写部材、５０…中間転写ベルト、６５…屈折率分布型ロッドレンズアレイ（ＳＬＡ）、７１…プリンタの制御部、７２…プリンタコントローラ、７３…ラインヘッド制御回路、８１…有機ＥＬ素子アレイ、８２…基板、８３…画像形成用の発光素子、８４…屈折率分布型ロッドレンズ、１０１…ラインヘッド
【図１】
2008173866.tif 000003
【図２】
2008173866.tif 000004
【図３】
2008173866.tif 000005
【図４】
2008173866.tif 000006
【図５】
2008173866.tif 000007
【図６】
2008173866.tif 000008
【図７】
2008173866.tif 000009
【図８】
2008173866.tif 000010
【図９】
2008173866.tif 000011